(57)【特許請求の範囲】
【請求項１】
植物栽培容器であって、
植物栽培容器側面低部に設けた円形の成長コントロール孔と、
植物栽培容器内側面に沿って設置された、前記成長コントロール孔を塞ぐ円筒形の栓１と、
植物栽培容器側壁に設けたホック用の孔と、
植物栽培容器側壁に前記成長コントロール孔を塞ぐ円筒形の栓１を仮固定することを目的とし、前記ホック用の孔を通した、取り外し可能なホックと、
を備えることを特徴とする成長コントロール植物栽培容器。
【請求項２】
植物栽培容器であって、
植物栽培容器側面部に設けた円形の成長コントロール孔と、
植物栽培容器外側面に沿って設置された、前記成長コントロール孔を塞ぐ円筒形の栓２と、
植物栽培容器側壁に設けたホック用の孔と、
植物栽培容器側壁に前記成長コントロール孔を塞ぐ円筒形の栓２を仮固定することを目的とし、前記ホック用の孔を通した、取り外し可能なホックと、
を備えることを特徴とする成長コントロール植物栽培容器。
【請求項３】
請求項２の植物栽培容器であって、、
前記植物栽培容器側面部に設けた円形の成長コントロール孔を上下方向に複数備え、
前記円筒形の栓２は、前記複数成長コントロール孔すべてを塞ぐ、
ことを特徴とする成長コントロール植物栽培容器。
【請求項４】
植物栽培容器であって、
植物栽培容器側面低部に設けた円形の成長コントロール孔と、
植物栽培容器外側面に沿って設置された、前記成長コントロール孔を塞ぐ円筒形で先端が湾曲する栓と、
前記植物栽培容器側面低部に前記成長コントロール孔を塞ぐ円筒形で先端が湾曲する栓を仮固定する事を目的とする、切れ目部と
を備えることを特徴とする成長コントロール植物栽培容器。
【請求項５】
請求項１、請求項２、請求項３、または請求項４の植物栽培容器であって、
２箇所以上の前記円形の成長コントロール孔と、
２以上の前記成長コントロール孔を塞ぐ円筒形の栓１、円筒形の栓２、または前記成長コントロール孔を塞ぐ円筒形で先端が湾曲する栓と、
を備えることを特徴とする成長コントロール植物栽培容器。
【請求項６】
請求項１、請求項２、請求項３、または請求項４の植物栽培容器であって、
直径が２種類以上の前記円形の成長コントロール孔と、
直径が２種類以上の前記成長コントロール孔を塞ぐ円筒形の栓１、円筒形の栓２、または前記成長コントロール孔を塞ぐ円筒形で先端が湾曲する栓と、
を備えることを特徴とする成長コントロール植物栽培容器。
【請求項７】
請求項１、請求項２、請求項３、または請求項４の植物栽培容器であって、
側壁に複数の孔と、
を備えることを特徴とする成長コントロール植物栽培容器。
【請求項８】
請求項１、請求項２、請求項３、または請求項４の植物栽培容器であって、
前記円形の成長コントロール孔が多角形である成長コントロール孔と、
前記成長コントロール孔を塞ぐ円筒形の栓１、または円筒形の栓２、円筒形の栓３、または前記成長コントロール孔を塞ぐ円筒形で先端が湾曲する栓が多角柱である栓と、
を備えることを特徴とする成長コントロール植物栽培容器。
【請求項９】
請求項１、請求項２、請求項３、または請求項４の植物栽培容器であって、
容器の材質がプラスティック、グラスファイバー、またはステンレスであることを特徴とする成長コントロール植物栽培容器。
【請求項１０】
請求項１、請求項２、請求項３、または請求項４の植物栽培容器であって、
容器の材質がポリエステル高密度長繊維不織布であることを特徴とする成長コントロール植物栽培容器。
【請求項１１】
植物栽培容器低部に成長コントロール孔を設けるステップと、
植物栽培容器側壁にホック用の孔を設けるステップと、
前記ホック用の孔を通した、取り外し可能なホックで固定しされた柱形の栓で前記成長コントロール孔を塞ぐステップと、
植物栽培容器に用土を入れ、植物を定植するステップと、
植物が成長する過程で、前記柱形の栓を引き抜くステップと、
を含んで構成することを特徴とする、植物成長コントロール方法。
【発明の詳細な説明】
【技術分野】
【０００１】
本発明は、植物の成長コントロール植物栽培容器、および植物成長コントロール方法に関し、特に、草花、樹木等の植物の成長を調節すると共に、その花・実をより多く実らせる手段に用いる植物栽培容器およびその方法に関する。
【背景技術】
【０００２】
従来、草花、樹木等の植物栽培では、地面に植物を直接植える栽培方法と、鉢等の栽培容器において植物を栽培する容器栽培方法が広く行われている。そして、容器栽培方法において、植物の成長を適切に調整したり、移植を容易にできるようにするために、特許文献１及び特許文献２に開示されているように、栽培容器の側壁や底壁に複数の孔を開けて、根のルーピングを防止したり、直根及びそこから伸びる太い枝根の育成を防止し、細根を育成すること等が行われている。
【先行技術文献】
【特許文献】
【０００３】
【特許文献１】特開平６−２５３６９４号公報
【特許文献２】特開２０００−５０７４１号公報
【特許文献３】特開２００９−１９５１５５公報
【発明の概要】
【発明が解決しようとする課題】
【０００４】
しかし、特許文献１及び特許文献２に開示されている方法では、植物の成長が望むより早く、繁茂することが多いため、その植物が邪魔になったり、適切に管理するのが難しかったりした。例えば、キウイ、藤、モッコーバラ等は１年に２−３ｍ 以上も伸び、ギンヨウアカシア、ハクレン、ザクロ等は１年に５０ｃｍ−１ｍ以上伸びる。また、ザクロ、アジサイ、カキ等は、成長しすぎた際に剪定を行うとその次の年には花・実を付けない。梅、桜等の一般の庭木についても、毎年剪定しても根を切らなければ、徐々に植物が全体に大きくなり、管理が厄介になる。
【０００５】
そこで、特許文献３で開示されている方法では、側壁及び底壁に複数の孔を設けることに加え、上縁に三角形状の切込み部を設けた栽培容器に用土及び植物を入れて植物を定植することにより、縁に設けられた複数の切込み部から、太い根が延出させ、根切りをすることによって、幹枝と根の最適なバランスをとる方法などが行われてきた。
【０００６】
しかしこの方法も、上縁に設けられた複数の切込み部から、太い根が延出することを待つ必要がある上、何度も根切りを繰り返す必要がある。また上記上縁に設けられた複数の切込み部から太い根が延出しない場合もあり、コントロール自体が不可となってしまう場合もあった。さらに、根切りという作業自体も、植物を支えるバランスが崩れ、風で倒れやすいという問題も発生していた。
【課題を解決するための手段】
【０００７】
前記課題を解決するために、請求項１の発明は植物栽培容器であって、植物栽培容器側面低部に設けた円形の成長コントロール孔と、植物栽培容器内側面に沿って設置された、前記成長コントロール孔を塞ぐ円筒形の栓１と、植物栽培容器側壁に設けたホック用の孔と、植物栽培容器側壁に前記成長コントロール孔を塞ぐ円筒形の栓１を仮固定することを目的とし、前記ホック用の孔を通した、取り外し可能なホックと、を備えることを特徴としている。
【０００８】
同発明によれば、円筒形の栓１を抜栓することによって、植物の根の成長をコントロールすることが可能となる。
【０００９】
請求項２の発明は植物栽培容器であって、植物栽培容器側面部に設けた円形の成長コントロール孔と、植物栽培容器外側面に沿って設置された、前記成長コントロール孔を塞ぐ円筒形の栓２と、植物栽培容器側壁に設けたホック用の孔と、植物栽培容器側壁に前記成長コントロール孔を塞ぐ円筒形の栓２を仮固定することを目的とし、前記ホック用の孔を通した、取り外し可能なホックと、を備えることを特徴としている。
【００１０】
同発明によれば、円筒形の栓２を抜栓することによって、植物の根の成長をコントロールすることが可能となる。
【００１１】
請求項３の発明は請求項２の植物栽培容器であって、前記植物栽培容器側面部に設けた円形の成長コントロール孔を上下方向に複数備え、前記円筒形の栓２は、前記複数成長コントロール孔すべてを塞ぐ、を備えることを特徴としている。
【００１２】
請求項４の発明は植物栽培容器であって、植物栽培容器側面低部に設けた円形の成長コントロール孔と、植物栽培容器外側面に沿って設置された、前記成長コントロール孔を塞ぐ円筒形で先端が湾曲する栓と、前記植物栽培容器側面低部に前記成長コントロール孔を塞ぐ円筒形で先端が湾曲する栓を仮固定する事を目的とする、切れ目部とを備えることを特徴としている。

【００１３】
請求項５の発明は請求項１、請求項２、請求項３、または請求項４の植物栽培容器であって、２箇所以上の前記円形の成長コントロール孔と、２以上の前記成長コントロール孔を塞ぐ円筒形の栓１、円筒形の栓２、または前記成長コントロール孔を塞ぐ円筒形で先端が湾曲する栓と、を備えることを特徴としている。
【００１４】
請求項６の発明は請求項１、請求項２、請求項３、または請求項４の植物栽培容器であって、直径が２種類以上の前記円形の成長コントロール孔と、直径が２種類以上の前記成長コントロール孔を塞ぐ円筒形の栓１、円筒形の栓２、または前記成長コントロール孔を塞ぐ円筒形で先端が湾曲する栓と、を備えることを特徴としている。

【００１５】
請求項７の発明は請求項１、請求項２、請求項３、または請求項４の植物栽培容器であって、側壁に複数の孔と、を備えることを特徴としている。

【００１６】
請求項８の発明は請求項１、請求項２、請求項３、または請求項４の植物栽培容器であって、前記円形の成長コントロール孔が多角形である成長コントロール孔と、前記成長コントロール孔を塞ぐ円筒形の栓１、または円筒形の栓２、円筒形の栓３、または前記成長コントロール孔を塞ぐ円筒形で先端が湾曲する栓が多角柱である栓と、を備えることを特徴としている。

【００１７】
請求項９の発明は請求項１、請求項２、請求項３、または請求項４の植物栽培容器であって、容器の材質がプラスティック、グラスファイバー、またはステンレスであることを特徴としている。

【００１８】
請求項１０の発明は請求項１、請求項２、請求項３、または請求項４の植物栽培容器であって、容器の材質がポリエステル高密度長繊維不織布であることを特徴としている。
【発明の効果】
【００１９】
本発明によれば、直径が異なる成長コントロール孔の栓を、成長に合わせて栓を選択しながら抜栓することによって、樹木、草花等の植物の成長を思った通りに調節することができると共に、その花・実をより多く実らせることができる。特に、植物は根の成長にストレスを与えると花・実を実らせる性質があるため、植物自身もダメージを受けずに沢山の花・実をつけることができる。また、植物の成長を適度に調節できるので、剪定作業が軽減でき、また、例えば街路樹等が歩道等を壊すことを防止することを助ける。
【図面の簡単な説明】
【００２０】
【図１】本発明の実施形態に係る栽培容器１の斜視図である。
【図２】本発明の実施形態に係る栽培容器１の上面図である。
【図３】本発明の実施形態に係る栽培容器１の側面図である。
【図４】本発明の実施形態に係る栽培容器１の底面図である。
【図５】本発明の実施形態に係る栽培容器１の底面図である図４内のＡにあたる部分を拡大した図である。
【図６】本発明の実施形態に係る栽培容器２の斜視図である。
【図７】本発明の実施形態に係る栽培容器２の側面図である。
【図８】本発明の実施形態に係る栽培容器３の側面図である。
【図９】本発明の実施形態に係る栽培容器４の側面図である。
【図１０】本発明の実施形態に係る栽培容器５のコントロール栓２２を取り付ける前の斜視図である。
【図１１】本発明の実施形態に係る栽培容器５のコントロール栓２２を取り付けた斜視図である。
【図１２】本発明の実施形態に係る栽培容器６の蝶ボルト栓２３を取り付ける前の斜視図である。
【図１３】本発明の実施形態に係る栽培容器６の蝶ボルト栓２３を取り付けた斜視図である。
【図１４】本発明の実施形態に係る栽培容器１に植物Ｔ、及び用土Ｓを初期設置する様子を表した図である
【図１５】本発明の実施形態に係る栽培容器１に植物Ｔ、及び用土Ｓを初期設置する様子を表した図である
【図１６】本発明の実施形態に係る栽培容器１を掘った土壌Ｇに定植する様子を表した図である。
【図１７】本発明の実施形態に係る栽培容器１の設置されているコントロール栓２０を引き抜いて、成長コントロールを行う作業を図示した図である。
【図１８】本発明の実施形態に係る栽培容器１の設置されているコントロール栓２０を引き抜いた後、成長コントロール孔１１１が解放された状態を図示した図である。
【図１９】本発明の実施形態に係る栽培容器２の設置されているコントロール栓２１を引き抜いた後、成長コントロール孔１１１が解放された状態を図示した図である。
【図２０】本発明の実施形態に係る（ａ）栽培容器２、（ｂ）栽培容器３、及び（ｃ）栽培容器４の設置されているコントロール栓２１を引き抜いた後、成長コントロール孔１１１が解放された状態を図示した側面図である。
【図２１】本発明の実施形態に係る栽培容器１の設置されているコントロール栓２０を引き抜いた後、根Ｒは自由に延出した状態を図示した図である。
【図２２】本発明の実施形態に係る実施例１の栽培容器１の側面図である。
【図２３】本発明の実施形態に係る実施例１の栽培容器１の上面図である。
【図２４】本発明の実施形態に係る実施例２の栽培容器１の側面図である。
【図２５】本発明の実施形態に係る実施例２の栽培容器１の上面図である。
【図２６】本発明の実施形態に係る実施例３の栽培容器６の側面図である。
【図２７】本発明の実施形態に係る実施例３の栽培容器６の上面図である。
【発明を実施するための形態】
【００２１】
以下、添付図面を参照しながら本発明の実施の形態について説明する。以下の実施の形態は、本発明を説明するための例示であり、本発明をその実施の形態のみに限定する趣旨ではない。また、本発明は、その要旨を逸脱しない限り、様々な変形が可能である。さらに、各図面において同一の構成要素に対しては可能な限り同一の符号を付し、重複する説明は省略する。
【００２２】
［１．成長コントロール植物栽培容器１の概要］
本発明の実施概要の一例として、植物Ｔのストレート内壁栓タイプ成長コントロール植物栽培容器１（以下、栽培容器１と略す）を図１乃至図５に沿って説明する。図１は栽培容器１の斜視図、図２は栽培容器１の上面図、図３は栽培容器１の側面図、図４は栽培容器１の底面図、及び図５は底面図である図４内のＡにあたる部分を拡大した図である。
【００２３】
図１乃至図４が示す通り、栽培容器１は、側壁１０ 、底壁１１ 、上縁１２ 、根成長用の孔１０１ｎ、ホック用の孔１０２、ホック１０３、成長コントロール孔１１１、円筒形もしくは多角柱形の内壁栓２０（以下コントロール栓２０と略す）からなり、鉢状に形成されている。図１乃至図４では、側面から見て逆さ台形、上面から見て円形の容器が図示されているが、植物Ｔを入れることのできる鉢状であればこのような形に限定されない。栽培容器１の大きさは、植物の種類や植物をどの程度まで成長させ、調節をするかによって異なる。栽培容器１の素材は、プラスティック、グラスファイバー、ステンレス等の丈夫で風化しない素材を用いる。また形状を保つ厚みがあれば、栽培容器１の素材は、防根シートに用いられるポリエステル高密度長繊維不織布でも良い。
【００２４】
根成長用の孔１０１ｎは、栽培容器１の側壁１０ 及び底壁１１ に任意に複数穿設されても良いし、無くても良い。根成長用の孔１０１ｎは、植物を植えつけた後、その植物の細根Ｓｎが根成長用の孔１０１ｎを通って栽培容器１の周囲の土壌Ｇ中に延出できるようにするために設ける。根成長用の孔１０１ｎは植物を成長させるには多数設ける方が良いが、植物の成長を抑制したい場合は設けなくても良い。根成長用の孔１０１ｎの直径は０．０１ｍｍ以上１０ｍｍ以下、好ましくは０．０５ｍｍ以上５ｍｍ以下、さらに好ましくは０．１ｍｍ以上３ｍｍ以下である。
【００２５】
ホック用の孔１０２は、ホック１０３を使って、後述するコントロール栓２０の固定を行う目的で設けるが、固定する手段があれば無くても良い。栽培容器１へ土を入れる際にコントロール栓２０を別手段で固定するのであれば、ホック用の孔１０２、もしくはホック１０３はあってもなくても良い。ホック１０３の素材は金属類、プラスティック、グラスファイバー等でもよいが、竹の繊維、お米の籾殻、コーンスターチ、ヤシの葉等といった、土壌で分解され、土に還る素材としても良い。
【００２６】
成長コントロール孔１１１は、底壁１１に設けられるが、側壁１０の低部に設けても良い。成長コントロール孔１１１初期設置時には後述するコントロール栓２０によって塞がれているが、成長を促進させたい際に、コントロール栓２０を引き抜くことにより、孔が開くことによって、その孔から植物Ｔの根Ｒが自由に延出できるようになり、成長を促進させることができる。成長コントロール孔１１１は円形でも、多角形でも良いが、コントロール栓２０で塞ぐことが可能な形が好ましい。図５に示す成長コントロール孔１１１の直径ＣＤＬは０．１ｍｍ以上５０ｍｍ以下、好ましくは０．３ｍｍ以上３０ｍｍ以下、さらに好ましくは０．５ｍｍ以上１５ｍｍ以下である。成長コントロール孔１１１は１カ所、１種類の直径でも良いが、好ましくは２カ所以上、２種類以上の直径、より詳細なコントロールを行う場合は、３カ所以上、３種類以上の直径を設ける。図１乃至図４の例は成長コントロール孔１１１が６カ所、３種類の直径としている。栽培容器１の素材が防根シートに用いられるポリエステル高密度長繊維不織布の場合は、ハトメなどを使用して、穴の周辺を金属で覆い、穴の大きさが変形しないようにしても良い。
【００２７】
コントロール栓２０は成長コントロール孔１１１を塞ぐために、栽培容器１の側壁１０の内側に沿って設置する。前記ホック用の孔１０２、及び前記ホック１０３を使って側壁１０に固定しても良い。初期設置の際にはコントロール栓２０の方端は成長コントロール孔１１１を塞ぎ、もう方端は用土Ｓ上に表出させ、成長コントロールする際にはコントロール栓２０を用土Ｓ上から引き抜く。図３に示すコントロール栓２０の全長ＰＬは、側壁１０、及び上縁１２の長さＳＬと同様、もしくはＳＬよりも長い栓とする。 図５に示すコントロール栓２０の直径ＰＤＬは、成長コントロール孔１１１の直径ＣＤＬと同長、もしくは成長コントロール孔１１１を塞ぐように成長コントロール孔１１１の直径ＣＤＬよりも若干短くしても良い。コントロール栓２０の素材は、プラスティック、グラスファイバー、金属（ステンレス等）の丈夫で風化しない素材を用いる。
【００２８】
［２．成長コントロール植物栽培容器２の概要］
本発明の実施概要の一例として、植物Ｔのストレート外壁栓タイプ成長コントロール植物栽培容器２（以下、栽培容器２と略す）を図６、及び図７に沿って説明する。図６は栽培容器２の斜視図、及び図７は栽培容器２の側面図である。
【００２９】
図６、乃び図７が示す通り、栽培容器２は、側壁１０ 、底壁１１ 、上縁１２ 、根成長用の孔１０１ｎ、ホック用の孔１０２、ホック１０３、成長コントロール孔１１１、円筒形もしくは多角柱形の外壁栓２１（以下コントロール栓２１と略す）からなり、鉢状に形成されている。図６、乃び図７では、側面から見て逆さ台形、上面から見て円形の容器が図示されているが、植物Ｔを入れることのできる鉢状であればこのような形に限定されない。栽培容器２の大きさは、植物の種類や植物をどの程度まで成長させ、調節をするかによって異なる。栽培容器２の素材は、プラスティック、グラスファイバー、ステンレス等の丈夫で風化しない素材を用いる。また形状を保つ厚みがあれば、栽培容器２の素材は、防根シートに用いられるポリエステル高密度長繊維不織布でも良い。
【００３０】
栽培容器２の根成長用の孔１０１ｎは、栽培容器１の根成長用の孔１０１ｎと同様である、
【００３１】
栽培容器２のホック用の孔１０２、及びホック１０３も、栽培容器１と同様であり、後述するコントロール栓２１の固定を行う目的で設けるが、固定する手段があれば無くても良い。
【００３２】
成長コントロール孔１１１は、側壁１０に設けられる。成長コントロール孔１１１初期設置時には後述するコントロール栓２１によって塞がれているが、成長を促進させたい際に、コントロール栓２１を引き抜くことにより、孔が開くことによって、その孔から植物Ｔの根Ｒが自由に延出できるようになり、成長を促進させることができる。成長コントロール孔１１１は円形でも、多角形でも良いが、コントロール栓２１で塞ぐことが可能な形が好ましい。成長コントロール孔１１１の直径ＣＤＬは栽培容器１と同様である。
【００３３】
コントロール栓２１は成長コントロール孔１１１を塞ぐために、栽培容器１の側壁１０の外側に沿って設置する。前記ホック用の孔１０２、及び前記ホック１０３を使って側壁１０に固定しても良い。初期設置の際には図６、及び図７のようにコントロール栓２１から栓部２１１で成長コントロール孔１１１を塞ぐ。図６、及び図７ではコントロール栓２１１つから栓部２１１を３つ備えているが、３つ以上でも良い。初期設置の際にはコントロール栓２１端は用土Ｓ上に表出させ、成長コントロールする際にはコントロール栓２１を用土Ｓ上から引き抜く。コントロール栓２１の素材は、プラスティック、グラスファイバー、金属（ステンレス等）の丈夫で風化しない素材を用いる。
【００３４】
［３．成長コントロール植物栽培容器３の概要］
本発明の実施概要の一例として、植物Ｔのストレート外壁栓タイプ成長コントロール植物栽培容器３（以下、栽培容器３と略す）を図８に沿って説明する。図８は栽培容器３の側面図である。
【００３５】
図８が示す通り、栽培容器３は栽培容器２と同様、側壁１０ 、底壁１１ 、上縁１２ 、根成長用の孔１０１ｎ、ホック用の孔１０２、ホック１０３、成長コントロール孔１１１、円筒形もしくは多角柱形のコントロール栓２１からなり、鉢状に形成されている。図８では、側面から見て逆さ台形、上面から見て円形の容器が図示されているが、植物Ｔを入れることのできる鉢状であればこのような形に限定されない。栽培容器３の大きさは、植物の種類や植物をどの程度まで成長させ、調節をするかによって異なる。栽培容器３の素材は、プラスティック、グラスファイバー、ステンレス等の丈夫で風化しない素材を用いる。また形状を保つ厚みがあれば、栽培容器３の素材は、防根シートに用いられるポリエステル高密度長繊維不織布でも良い。
【００３６】
栽培容器３の根成長用の孔１０１ｎは、栽培容器１、及び栽培容器２の根成長用の孔１０１ｎと同様である、
【００３７】
栽培容器３のホック用の孔１０２、及びホック１０３も、栽培容器１、及び栽培容器２と同様であり、コントロール栓２１の固定を行う目的で設けるが、固定する手段があれば無くても良い。
【００３８】
成長コントロール孔１１１は、側壁１０に設けられる。成長コントロール孔１１１初期設置時にはコントロール栓２１によって塞がれているが、成長を促進させたい際に、コントロール栓２１を引き抜くことにより、孔が開くことによって、その孔から植物Ｔの根Ｒが自由に延出できるようになり、成長を促進させることができる。成長コントロール孔１１１は円形でも、多角形でも良いが、コントロール栓２１で塞ぐことが可能な形が好ましい。成長コントロール孔１１１の直径ＣＤＬは栽培容器１、及び栽培容器２と同様である。
【００３９】
コントロール栓２１は成長コントロール孔１１１を塞ぐために、栽培容器１の側壁１０の外側に沿って設置する。前記ホック用の孔１０２、及び前記ホック１０３を使って側壁１０に固定しても良い。初期設置の際には図８のようにコントロール栓２１から栓部２１１で成長コントロール孔１１１を塞ぐ。図８ではコントロール栓２１１つから栓部２１１を２つ備えている。初期設置の際にはコントロール栓２１端は用土Ｓ上に表出させ、成長コントロールする際にはコントロール栓２１を用土Ｓ上から引き抜く。コントロール栓２１の素材は、プラスティック、グラスファイバー、金属（ステンレス等）の丈夫で風化しない素材を用いる。
【００４０】
［４．成長コントロール植物栽培容器４の概要］
本発明の実施概要の一例として、植物Ｔのストレート外壁栓タイプ成長コントロール植物栽培容器４（以下、栽培容器４と略す）を図９に沿って説明する。図９は栽培容器４の側面図である。
【００４１】
図９が示す通り、栽培容器４は栽培容器２、及び栽培容器３と同様、側壁１０ 、底壁１１ 、上縁１２ 、根成長用の孔１０１ｎ、ホック用の孔１０２、ホック１０３、成長コントロール孔１１１、円筒形もしくは多角柱形のコントロール栓２１からなり、鉢状に形成されている。図９では、側面から見て逆さ台形、上面から見て円形の容器が図示されているが、植物Ｔを入れることのできる鉢状であればこのような形に限定されない。栽培容器４の大きさは、植物の種類や植物をどの程度まで成長させ、調節をするかによって異なる。栽培容器２の素材は、プラスティック、グラスファイバー、ステンレス等の丈夫で風化しない素材を用いる。また形状を保つ厚みがあれば、栽培容器４の素材は、防根シートに用いられるポリエステル高密度長繊維不織布でも良い。
【００４２】
栽培容器４の根成長用の孔１０１ｎは、栽培容器１、栽培容器２、及び栽培容器３の根成長用の孔１０１ｎと同様である、
【００４３】
栽培容器４のホック用の孔１０２、及びホック１０３も、栽培容器１、栽培容器２、及び栽培容器３と同様であり、コントロール栓２１の固定を行う目的で設けるが、固定する手段があれば無くても良い。
【００４４】
成長コントロール孔１１１は、側壁１０に設けられる。成長コントロール孔１１１初期設置時にはコントロール栓２１によって塞がれているが、成長を促進させたい際に、コントロール栓２１を引き抜くことにより、孔が開くことによって、その孔から植物Ｔの根Ｒが自由に延出できるようになり、成長を促進させることができる。成長コントロール孔１１１は円形でも、多角形でも良いが、コントロール栓２１で塞ぐことが可能な形が好ましい。成長コントロール孔１１１の直径ＣＤＬは栽培容器１、栽培容器２、及び栽培容器３と同様である。
【００４５】
コントロール栓２１は成長コントロール孔１１１を塞ぐために、栽培容器１の側壁１０の外側に沿って設置する。前記ホック用の孔１０２、及び前記ホック１０３を使って側壁１０に固定しても良い。初期設置の際には図９のようにコントロール栓２１から栓部２１１で成長コントロール孔１１１を塞ぐ。図９ではコントロール栓２１１つから栓部２１１を１つ備えている。初期設置の際にはコントロール栓２１端は用土Ｓ上に表出させ、成長コントロールする際にはコントロール栓２１を用土Ｓ上から引き抜く。コントロール栓２１の素材は、プラスティック、グラスファイバー、金属（ステンレス等）の丈夫で風化しない素材を用いる。
【００４６】
［５．成長コントロール植物栽培容器５の概要］
次に本発明の実施概要の一例として、植物Ｔの湾曲栓タイプ植物成長コントロール植物栽培容器５（以下、栽培容器５と略す）を図１０、乃び図１１に沿って説明する。図１０は栽培容器５の後述するコントロール栓２２を取り付ける前の斜視図であり、図１１は栽培容器５にコントロール栓２２を取り付けた斜視図である。
【００４７】
図１０、乃び図１１が示す通り、栽培容器５は、側壁１０ 、底壁１１ 、成長コントロール孔１１１、円筒形もしくは多角柱形の栓２２（以下コントロール栓２２と略す）からなり、筒状、もしくは鉢状に形成されている。図１０、乃び図１１では、側面から見て長方形、上面から見て円形の容器が図示されているが、植物Ｔを入れることのできる筒状、もしくは鉢状であればこのような形に限定されない。栽培容器２の大きさは、植物の種類や植物をどの程度まで成長させ、調節をするかによって異なる。また形状を保つ厚みがあれば、栽培容器５の素材は、防根シートに用いられるポリエステル高密度長繊維不織布でも良い。
【００４８】
成長コントロール孔１１１は、側壁１０の低部に設けても良い。成長コントロール孔１１１初期設置時には後述するコントロール栓２２によって塞がれているが、成長を促進させたい際に、コントロール栓２２を引き抜くことにより、孔が開くことによって、その孔から植物Ｔの根Ｒが自由に延出できるようになり、成長を促進させることができる。成長コントロール孔１１１は円形でも、多角形でも良いが、コントロール栓２２で塞ぐことが可能な形が好ましい。成長コントロール孔１１１の直径ＣＤＬは栽培容器１と同様に、０．１ｍｍ以上５０ｍｍ以下、好ましくは０．３ｍｍ以上３０ｍｍ以下、さらに好ましくは０．５ｍｍ以上１５ｍｍ以下である。成長コントロール孔１１１は１カ所、１種類の直径でも良いが、好ましくは２カ所以上、２種類以上の直径、より詳細なコントロールを行う場合は、３カ所以上、３種類以上の直径を設ける。栽培容器３の素材が防根シートに用いられるポリエステル高密度長繊維不織布の場合は、成長コントロール孔ハトメ１１１ｎなどを使用して、穴の周辺を金属で覆い、穴の大きさが変形しないようにしても良い。
【００４９】
コントロール栓２２は成長コントロール孔１１１を塞ぐために、栽培容器５の側壁１０の外側に沿って設置する。栽培容器５の素材の素材がポリエステル高密度長繊維不織布の場合は、図１１の通り、栽培容器３の側壁１０上部に切れ目１０４を入れて、そこにコントロール栓２２を通し、固定してもよい。初期設置の際にはコントロール栓２２の方端は成長コントロール孔１１１を塞ぎ、もう方端は用土Ｓ上に表出させ、成長コントロールする際にはコントロール栓２２を用土Ｓ上から引き抜く。コントロール栓２２の素材は、プラスティック、グラスファイバー、金属（ステンレス等）の丈夫で風化しない素材を用いる。
【００５０】
［６．成長コントロール植物栽培容器６の概要］
次に本発明の実施概要の一例として、植物Ｔの蝶ボルト栓タイプ植物成長コントロール植物栽培容器６（以下、栽培容器６と略す）を図１２、乃び図１３に沿って説明する。図１２は栽培容器６の後述する蝶ボルト栓２３、及び蝶ボルト用ナット２４を取り付ける前の斜視図であり、図１３は栽培容器４に蝶ボルト栓２３、及び蝶ボルト用ナット２４を取り付けた斜視図である。
【００５１】
図１２、乃び図１３が示す通り、栽培容器６は、側壁１０ 、底壁１１ 、成長コントロール孔１１１、蝶ボルト栓２３（以下蝶ボルト栓２３と略す）、及び蝶ボルト用ナット２４からなり、筒状、もしくは鉢状に形成されている。図１２、乃び図１３では、側面から見て長方形、上面から見て円形の容器が図示されているが、植物Ｔを入れることのできる筒状、もしくは鉢状であればこのような形に限定されない。栽培容器６の大きさは、植物の種類や植物をどの程度までさせ、調節をするかによって異なる。また形状を保つ厚みがあれば、栽培容器６の素材は、防根シートに用いられるポリエステル高密度長繊維不織布でも良い。
【００５２】
成長コントロール孔１１１は、用土Ｓに埋まらないように、もしくは埋まった場合でも掘り出せるように。側壁１０の上部に設ける。成長コントロール孔１１１初期設置時には後述する蝶ボルト栓２３、及び蝶ボルト用ナット２４によって塞がれているが、成長を促進させたい際に、蝶ボルト栓２３、及び蝶ボルト用ナット２４を外し、孔が開くことによって、その孔から植物Ｔの根Ｒが自由に延出できるようになり、成長を促進させることができる。成長コントロール孔１１１は円形でも、多角形でも良いが、蝶ボルト栓２３で塞ぐことが可能な形が好ましい。成長コントロール孔１１１の直径ＣＤＬは栽培容器１と同様に、０．１ｍｍ以上５０ｍｍ以下、好ましくは０．３ｍｍ以上３０ｍｍ以下、さらに好ましくは０．５ｍｍ以上１５ｍｍ以下である。成長コントロール孔１１１は１カ所、１種類の直径でも良いが、好ましくは２カ所以上、２種類以上の直径、より詳細なコントロールを行う場合は、３カ所以上、３種類以上の直径を設ける。栽培容器４の素材が防根シートに用いられるポリエステル高密度長繊維不織布の場合は、成長コントロール孔ハトメ１１１ｎなどを使用して、穴の周辺を金属で覆い、穴の大きさが変形しないようにしても良い。
【００５３】
蝶ボルト栓２３、及び蝶ボルト用ナット２４は成長コントロール孔１１１を塞ぐために、蝶ボルト栓２３を外側から回し、内側の蝶ボルト用ナット２４を使って止める。初期設置の際には蝶ボルト栓２３、及び蝶ボルト用ナット２４は成長コントロール孔１１１を塞ぎ、蝶ボルト栓２３、及び蝶ボルト用ナット２４は用土Ｓ上に表出させるか、もしく掘り返せる程度の浅さで埋める。成長コントロールする際には蝶ボルト栓２３、及び蝶ボルト用ナット２４を外す。植物は表面上の養分を吸収するために、地表近くに根を伸ばすため、表面近くの成長コントロール孔１１１が効果を発揮する。蝶ボルト栓２３、及び蝶ボルト用ナット２４の素材は、プラスティック、グラスファイバー、金属（ステンレス等）の丈夫で風化しない素材を用いる。
【００５４】
［７．栽培容器１を使った成長コントロール例］
次に、植物Ｔの成長コントロール方法の方法について、図１４乃至図２１に従って説明する。栽培容器１を例に用いて説明するが、栽培容器２乃至６でも同様にコントロールを行う。まず栽培容器１に入れる用土Ｓは、栽培容器１の周囲の土壌Ｇと同様のものを使用しても良いが、市販されている赤玉土、黒土、山砂、腐葉土、ピートモス等の基本用土を適当にブレンドして、適度な水分を含み、通気性があって、水はけがよく、養分を保持できる土を作り、用いるのが望ましい。栽培する植物Ｔ は、山桃、キウイ、藤、モッコーバラ、フサアカシア、ギンヨウアカシア、ハクレン、ザクロ、アジサイ、カキ、レモン、梅、桜等の木を準備する。
【００５５】
図１４、及び図１５は栽培容器１に植物Ｔ、及び用土Ｓを初期設置する様子を表した図である。図１４に示す通り、栽培容器１ には用土Ｓを栽培容器１に入れる。用土Ｓを入れる量は栽培容器１の高さＬの約１ ／３ 〜 ９／ １０ 程度まで入れる。好ましくは、約１ ／ ２ 〜 ７／ ８ 程度、さらに好ましくは約２／ ３ 〜 ４／ ５ 程度まで入れる。その後、図１４に示す通り、容器内に向かう方向を示す矢印に沿って、植物Ｔを栽培容器１の中に降ろし、用土Ｓを用いて、植物Ｔの根Ｒを埋める。また、用土Ｓはコントロール栓２０の方端が用土Ｓ上に表出する程度に入れる。そして図１５に示す通り、土壌Ｇを掘り、掘った穴に栽培容器１をいれる。
【００５６】
植物Ｔが成長して花・実を実らせるまでの期間の経過を待つ。図１６は栽培容器１に定植した植物Ｔが成長した様子を表している。通常、栽培容器１に入れられた植物Ｔが地面に定植されてから半年乃至１年程度経過すると、植物Ｔは、栽培容器１の根成長用の孔１０１ｎを通って細根Ｓｎを栽培容器１の周囲の土壌Ｇに延出する。栽培容器１の周囲の土壌Ｇから水分と栄養を得るようになり、生長して花・実を実らせる。実が適度に実ったら、それを収穫等する。
【００５７】
図１７は栽培容器１に設置されているコントロール栓２０（栽培容器５の場合はコントロール栓２２、もしくは栽培容器６の場合は蝶ボルト栓２３）を引き抜いて成長コントロールを行う作業を図示したものであり、図１８は栽培容器１の設置されているコントロール栓２０を引き抜いた後、成長コントロール孔１１１が解放された状態を図示したもの、図１９は栽培容器２に設置されているコントロール栓２１を引き抜いて、成長コントロールを行う作業を図示したものであり、図２０は本発明の実施形態に係る（ａ）栽培容器２、（ｂ）栽培容器３、及び（ｃ）栽培容器４の設置されているコントロール栓２１を引き抜いた後、成長コントロール孔１１１が解放された状態を図示した側面図である。植物Ｔの成長を望む際は、用土Ｓ上に表出しているコントロール栓２０、もしくは２１の方端を図１７、または図１９のように引き抜く（栽培容器５の場合はコントロール栓２２を引き抜き、もしくは栽培容器６の場合は蝶ボルト栓２３を外す）。この作業により、図１８、または図２０（ａ）のように成長コントロール孔１１１は解放されるため、図２１のように根Ｒは自由に延出する。この根Ｒが自由に延出することにより、植物Ｔはより成長する。コントロール栓２０、２１、２２、及び蝶ボルト栓２３が複数ある場合は、コントロール栓２０、２１、２２、及び蝶ボルト栓２３を抜いた数が多いほど、またコントロール栓２０、２１、２２、及び蝶ボルト栓２３の直径が数種類ある場合は、直径が大きいほど、根Ｒは大きく延出し、植物Ｔはより成長が促進される。
【００５８】
［８．栽培容器１の実施例１］
次に、栽培容器１の実施例１を説明する。なお栽培容器１を例にとって説明をするが、同様の鉢の形状は栽培容器２、３、及び４で実施しても良い。図２２、及び図２３は栽培容器１の実施例の１つを示している。図２２は実施例１の栽培容器１の側面図であって、栽培容器１は、側壁１０、及び上縁１２の全長ＳＬは３００mｍ 、底壁１１の直径ＢＤは１００ｍｍ 、上縁１２の直径ＵＤが２００ｍｍ 、根成長用の孔１０１ｎは１ｍｍで数百か所、ホック用の孔１０２は６つ、ホック１０３も６つ、成長コントロール孔１１１は６か所、以下コントロール栓２０も６つからなり、鉢状に形成されている。栽培容器１の素材はプラスティック素材を用いた。
【００５９】
成長コントロール孔１１１の直径ＣＤＬは３種類、最大ＣＤＬは１５０ｍｍ、最小ＣＤＬは５０ｍｍ、中間サイズとしてＣＤＬ１００ｍｍとしている。同様にコントロール栓２０の直径ＰＤＬの最大PＤＬは１４９ｍｍ、最小PＤＬは４９ｍｍ、中間サイズとしてPＤＬ９９ｍｍとし、コントロール栓２０の全長ＰＬは３０５ｍｍとしている。
【００６０】
図２３は実施例１の栽培容器１の上面図であって、成長コントロール孔１１１は最大孔、中間孔、最小孔はそれぞれ対角線状に、６か所は均等に配置することによって、均等に根Ｒを延出させる。均等に根Ｒを延出させることによって、思ったように成長をコントロールすることが可能となる。
【００６１】
［９．栽培容器１の実施例２］
次に、栽培容器１の実施例２を説明する。なお栽培容器１を例にとって説明をするが、同様の鉢の形状は栽培容器２、３、及び４で実施しても良い。この実施例は、下部を幅広く取った例である。図２４、及び図２５は栽培容器１の実施例の１つを示している。図２４は実施例２の栽培容器１の側面図であって、栽培容器１は、側壁１０、及び上縁１２の全長ＳＬは５０mｍ 、底壁１１の直径ＢＤは２００ｍｍ 、上縁１２の直径ＵＤが２５０ｍｍ 、根成長用の孔１０１ｎは設けず、ホック用の孔１０２は８つ、ホック１０３も８つ、成長コントロール孔１１１は８か所、コントロール栓２０も８つからなり、鉢状に形成されている。栽培容器１ の素材はステンレス素材を用いた。
【００６２】
成長コントロール孔１１１の直径ＣＤＬは４種類、最大ＣＤＬは１５０ｍｍ、最小ＣＤＬは６０ｍｍ、中間サイズとしてＣＤＬ８０ｍｍ、１２０ｍｍとしている。同様にコントロール栓２０の直径ＰＤＬの最大PＤＬは１４９ｍｍ、最小PＤＬは５９ｍｍ、中間サイズとしてPＤＬ７９ｍｍ、及びPＤＬ１１９ｍｍとし、コントロール栓２０の全長ＰＬは５５ｍｍとしている。
【００６３】
図２５は実施例２の栽培容器１の上面図であって、成長コントロール孔１１１は最大孔、中間孔、最小孔はそれぞれ対角線状に、８か所は均等に配置することによって、均等に根Ｒを延出させる。均等に根Ｒを延出させることによって、意図通りに成長をコントロールすることが可能となる。
【００６４】
［１０．栽培容器６の実施例３］
次に、栽培容器６の実施例３を説明する。なお栽培容器６を例にとって説明をするが、同様の鉢の形状は栽培容器５で実施しても良い。この実施例は、上部と下部を同じ直径とし、栽培容器６の素材として防根シートに用いられるポリエステル高密度長繊維不織布を用いた例である。図２６、及び図２７は栽培容器５の実施例の１つを示している。図２６は実施例３の栽培容器６の側面図であって、栽培容器６は、側壁１０の全長ＳＬ、及び底壁１１の直径ＢＤは共に２００ｍｍ 、根成長用の孔１０１ｎは設けず、成長コントロール孔１１１は６か所、筒状に形成されている。
【００６５】
成長コントロール孔１１１の直径ＣＤＬは１種類ＣＤＬ８０ｍｍ、としている。
【００６６】
図２７は実施例３の栽培容器６の上面図であって、成長コントロール孔１１１はそれぞれ対角線状に、６か所は均等に配置することによって、均等に根Ｒを延出させる。均等に根Ｒを延出させることによって、意図通りに成長をコントロールすることが可能となる。
【符号の説明】
【００６７】
１  成長コントロール植物栽培容器（ストレート内壁栓タイプ）
２  成長コントロール植物栽培容器（ストレート外壁栓タイプ）
３  成長コントロール植物栽培容器（湾曲栓タイプ）
１０  側壁
１１  底壁
１２  上縁
２０  円筒形もしくは多角柱形の栓（コントロールストレート内壁栓）
２１  円筒形もしくは多角柱形の栓（コントロールストレート外壁栓）
２２  円筒形もしくは多角柱形の栓（コントロール湾曲栓）
２３  蝶ボルトの栓
２４  蝶ボルト用ナット
１０１ｎ  根成長用の孔
１０２  ホック用の孔
１０３  ホック
１０４  切れ目
１１１  成長コントロール孔
１１１ｎ  成長コントロール孔ハトメ
Ｇ  土壌
Ｒ  根
Ｓ  用土
Ｔ  植物
Ｓｎ  植物の細根
ＰＬ  コントロール栓２０、及び２１の全長
ＳＬ  側壁１０、及び上縁１２ の長さ
ＣＤＬ  成長コントロール孔１１１の直径
ＰＤＬ  コントロール栓２０、及び２１の直径
【図１】
0006986319.tif 000002
【図２】
0006986319.tif 000003
【図３】
0006986319.tif 000004
【図４】
0006986319.tif 000005
【図５】
0006986319.tif 000006
【図６】
0006986319.tif 000007
【図７】
0006986319.tif 000008
【図８】
0006986319.tif 000009
【図９】
0006986319.tif 000010
【図１０】
0006986319.tif 000011
【図１１】
0006986319.tif 000012
【図１２】
0006986319.tif 000013
【図１３】
0006986319.tif 000014
【図１４】
0006986319.tif 000015
【図１５】
0006986319.tif 000016
【図１６】
0006986319.tif 000017
【図１７】
0006986319.tif 000018
【図１８】
0006986319.tif 000019
【図１９】
0006986319.tif 000020
【図２０】
0006986319.tif 000021
【図２１】
0006986319.tif 000022
【図２２】
0006986319.tif 000023
【図２３】
0006986319.tif 000024
【図２４】
0006986319.tif 000025
【図２５】
0006986319.tif 000026
【図２６】
0006986319.tif 000027
【図２７】
0006986319.tif 000028